(57)【特許請求の範囲】
【請求項１】
化粧材が被着された基材を切断し分割して形成される幅木の製造方法であって、
前記基材の表面に、第一表面傾斜面と第二表面傾斜面とからなる側面視において略三角山形状の表面凸部を複数連なるように形成した後、
前記第一表面傾斜面及び前記第二表面傾斜面の全面に前記化粧材を被着し、
前記基材の裏面に、前記第一表面傾斜面と略平行且つ略同寸法をなす第一裏面傾斜面と、前記第二表面傾斜面と略平行且つ略同寸法をなす第二裏面傾斜面とからなる側面視において略三角山形状の裏面凸部を複数連なるように形成し、前記表面凸部と前記裏面凸部とにより側面視において略矩形をなす複数の幅木を得ることを特徴とする幅木の製造方法。
【請求項２】
請求項１に記載の幅木の製造方法において、
前記基材の板厚は、前記表面凸部の頂点が前記基材の表面に位置し、前記裏面凸部の頂点が前記基材の裏面に位置するよう設定されることを特徴とする幅木の製造方法。
【発明の詳細な説明】
【技術分野】
【０００１】
本発明は、幅木の製造方法に関する。
【背景技術】
【０００２】
従来より、ＭＤＦ（中密度繊維板）等からなる基材を使用した幅木の製造方法としては、1枚の大型の板状の基材を所定の大きさに切断し分割するいわゆる小割加工により幅木を得る方法が知られている。
これによると、まず基材の表面に化粧材を貼り付けた後、基材を切断して小割りし、小割りして得た板体の一方の木口面に化粧材を貼り付ける工程を経て幅木が製造される。この構成では、化粧材の貼り付け、基材の小割り、木口面への化粧材の貼り付けの工程を経るが、とりわけ、小割して得たすべての板体の木口面に化粧材を貼り付ける作業に手間がかかり、効率的ではない。
【０００３】
そこで効率よく幅木を製造する方法として、例えば、特許文献１が挙げられる。
ここには、帯板状の基材の表面及び両側面に化粧材を貼着して巾木素体を形成し、巾木素体を２分割して幅木を得る製造方法が開示されている。
これによれば、帯板状の基材の両側面のそれぞれが幅木の上面となり、両側面には予め表面への貼着と同時に化粧材が貼着されるため、効率よく幅木を製造することができる。
【先行技術文献】
【特許文献】
【０００４】
【特許文献１】特開２００８−２５２１５号公報
【発明の概要】
【発明が解決しようとする課題】
【０００５】
しかしながら、上記特許文献１に開示されている基材を２分割する方法は、幅木の上面への化粧材の貼り付け工程を省略することはできるが、1枚の基材から得られる幅木は２枚であるので生産性がよいとはいえない。
そこで、1枚の基材から、簡易な工程により、例えば９〜１０本程度の多数本の幅木を製造することができるような、生産性の高い幅木の製造方法が求められていた。
【０００６】
本発明は、上記の点を鑑みてなされたものであり、生産性の高い幅木の製造方法を提供することを目的とする。
【課題を解決するための手段】
【０００７】
上記目的を達成するために、本発明に係る幅木の製造方法は、化粧材が被着された基材を切断し分割して形成される幅木の製造方法であって、前記基材の表面に、第一表面傾斜面と第二表面傾斜面とからなる側面視において略三角山形状の表面凸部を複数連なるように形成した後、前記第一表面傾斜面及び前記第二表面傾斜面の全面に前記化粧材を被着し、前記基材の裏面に、前記第一表面傾斜面と略平行且つ略同寸法をなす第一裏面傾斜面と、前記第二表面傾斜面と略平行且つ略同寸法をなす第二裏面傾斜面とからなる側面視において略三角山形状の裏面凸部を複数連なるように形成し、前記表面凸部と前記裏面凸部とにより側面視において略矩形をなす複数の幅木を得ることを特徴とする。
また、本発明において、前記基材の板厚は、前記表面凸部の頂点が前記基材の表面に位置し、前記裏面凸部の頂点が前記基材の裏面に位置するよう設定されてもよい。
【発明の効果】
【０００８】
本発明に係る幅木の製造方法によれば、幅木の生産性を向上させることができる。
【図面の簡単な説明】
【０００９】
【図１】（ａ）〜（ｃ）は、本発明の一実施形態に係る幅木の製造方法の一例を示した模式的側面図である。
【図２】（ａ）〜（ｃ）は、同製造方法の一例を示した模式的側面図である。
【図３】同製造方法によって得た幅木の施工例を示した模式的断面図である。
【発明を実施するための形態】
【００１０】
以下に本発明の実施の形態について、図面に基づいて説明する。
本実施形態に係る幅木３の製造方法は、大別して下記の３つの工程で構成される。
まず第１の工程は、図１（ａ）、（ｂ）、（ｃ）に示すように、基材１の表面１aを削り加工し、第一表面傾斜面１０と第二表面傾斜面１１とからなる側面視において略三角山形状の表面凸部１２を複数個連なるように形成する工程である。
第２の工程は、図２（ａ）に示すように、基材１の上面（すべての第一表面傾斜面１０及び第二表面傾斜面１１）の全面に化粧材２を被着する工程である。
第３の工程は、図２（ｂ）、（ｃ）に示すように、基材１の裏面１ｂに、第一裏面傾斜面１３及び第二裏面傾斜面１４とからなる側面視にて略三角山形状の裏面凸部１５を複数個連なるように形成する工程である。この第３の工程が全うされると同時に、一つの表面凸部１２と一つの裏面凸部１５とで構成される、側面視において略矩形をなす幅木３が、複数本製造される。
尚、図１（ｂ）、（ｃ）及び図２（ａ）、（ｂ）、（ｃ）において、便宜上、同一部分を示す符号を一部省略している。
【００１１】
以下に、詳しく説明する。
まず、第１の工程について、図１（ａ）、（ｂ）、（ｃ）を用いて説明する。
図１（ａ）には、当該幅木３の製造方法に用いられる加工前の基材１を示している。基材１は、断面視して長帯状の、平面視して略矩形の板状体が用いられる。
基材１の材質としては、その上面に化粧材２を被着できる性質のものであれば特に限定されず、例えばＭＤＦ（中密度繊維板）等の木質繊維板、木削片板等の木質系、発泡ウレタン樹脂板等の合成樹脂系、あるいは木質系や合成樹脂系の複合積層板等が用いられる。
【００１２】
第１の工程としては、まず基材１の表面１ａに２種類の傾斜面（緩斜面からなる第一表面傾斜面１０及び急斜面からなる第二表面傾斜面１１）が交互に連なって形成されるように、基材１の表面１ａが削り加工される。図１（ｂ）には、この２種類の傾斜面（第一表面傾斜面１０及び第二表面傾斜面１１）の基材１内部における形成予定箇所が二点鎖線で示されている。
図１（ｂ）の二点鎖線部分と、基材１の表面１ａおよび両側面１ｃ，１ｄとにより囲まれた部分が、削り加工により削り取られる。
この削り加工により、図１（ｃ）に示すように、互いに隣接する一対の第一表面傾斜面１０と第二表面傾斜面１１とにより、側面視して略三角山形状の表面凸部１２が一つ形成される。さらに、基材１の上面の全域において、略同形状の表面凸部１２が、複数個連なるように形成された状態となる。
尚、基材１の削り加工には、ルーター等の切削機械が使用される。
【００１３】
次に、第２の工程について、図２（ａ）を用いて説明する。
第１の工程が完了した時点で、基材１の上面は、複数個の略三角山形状の表面凸部１２が連なるように形成された状態となっている（図１（ｃ）参照）。ここで、第２の工程として、この基材１の上面（つまり、すべての第一表面傾斜面１０及び第二表面傾斜面１１）の全面に亘って、化粧材２を被着する。
【００１４】
化粧材２としては、限定されないが、例えば、天然木材を切削して得られる天然突板、人工突板、不織布、紙、合成樹脂シート、可撓性を有する材料のシートに各種模様を印刷したもの等が用いられる。合成樹脂シートとしては、例えばオレフィン樹脂、塩化ビニル樹脂、ポリエステル樹脂等が用いられ、さらに、上記合成樹脂シートの間に紙を挟んで圧着した複合シート、合成樹脂を含浸させた含浸紙等も利用できる。
化粧材２は、シート状等のものであれば、接着剤を介して基材１に貼着しても良く、また、付着力または粘着力を有する合成樹脂等の流動性材料を用いる場合であれば、それを基材１に直接塗布してもよい。化粧材２を基材１に接着する接着剤としては、熱可塑性接着剤、例えば酢酸ビニル樹脂等に耐水性向上のために熱硬化性樹脂等を混入させたもの等を用いることができる。
尚、化粧材２の厚みは、限定されるものではないが、例えば０．０５ｍｍ〜１ｍｍの範囲で設定される。
【００１５】
上述した基材１の上面への化粧材２の被着は、断続的な、あるいは複数の工程によってなされるものではなく、連続的な１単位の工程でなされるため、基材１の上面に被着された化粧材２の性質は、基材１の上面のすべての箇所においてほぼ同程度となる。つまり、第一表面傾斜面１０、第二表面傾斜面１１及びそれらの境界部分である、表面凸部１２の頂点１２ａのすべての箇所において、化粧材２は等しい厚さ、質感で被着された状態となる。
そのため、複数本の幅木３が製造された際、これらの幅木３間において、及び一つの幅木３の表面の各箇所において、化粧材２の厚さ、質感等にばらつきがなく、幅木３の品質を安定させることができる。
また、一般的に、幅木３の上端面と前面とに、１単位の工程ではなく、それぞれ別々の工程によって化粧材２が被着される場合には、上端面と前面との境界部分から化粧材２が剥離しやすくなることが考えられる。しかしながら、当該実施形態においては、１単位の工程によって幅木３の上端面及び前面に化粧材２が被着されているため、そのリスクは低い。
【００１６】
次に、第３の工程について、図２（ｂ）、（ｃ）を用いて説明する。
第２の工程が完了した時点で、すべての第一表面傾斜面１０及び第二表面傾斜面１１の全面に化粧材２が被着された状態となっている（図２（ａ）参照）。
ここで、第３の工程として、基材１の裏面１ｂに２種類の傾斜面（緩斜面からなる第一裏面傾斜面１３及び急斜面からなる第二裏面傾斜面１４）が交互に連なるように形成されるよう、基材１の裏面１ｂが削り加工される。ここで、第一裏面傾斜面１３は、第一表面傾斜面１０と略平行且つ略同寸法をなすように、第二裏面傾斜面１４は、第二表面傾斜面１１と略平行且つ略同寸法をなすように、基材１の裏面１ｂに形成される。図２（ｂ）には、これらの第一裏面傾斜面１３及び第二裏面傾斜面１４の、基材１内部における形成予定箇所が二点鎖線で示されている。
図２（ｂ）の二点鎖線部分と、基材１の裏面１ｂおよび両側面１ｃ，１ｄとにより囲まれた部分が、削り加工により削り取られる。この削り加工により、互いに隣接する一対の第一裏面傾斜面１３と第二裏面傾斜面１４とで、側面視して略三角山形状の裏面凸部１５が一つ形成され、全体として、複数個の略三角山形状の裏面凸部１５が連なるように基材１の裏面１ｂに形成される。
これと同時に、一つの表面凸部１２と一つの裏面凸部１５とにより側面視にて略矩形をなす同寸法の一本の幅木３が基材１から分割され、結果として、表面凸部１２（または裏面凸部１５）の個数分の幅木３が基材１から分割されて製造される（図２（ｃ）参照）。
【００１７】
次に、基材１を無駄なく最大限効率的に利用して、１枚の基材１から多数の幅木３を得るための、基材１の板厚ｔの条件設定について説明する。
基材１の板厚ｔは、表面凸部１２の頂点１２ａが基材１の表面１ａに位置し、裏面凸部１５の頂点１５ａが基材１の裏面１ｂに位置するよう設定される。以下詳しく説明する。
図１（ａ）に示すように、基材１の板厚ｔは、加工前の基材１の表面１ａと裏面１ｂとの間の間隔に相当する。
まず、第１の工程において、第一表面傾斜面１０と第二表面傾斜面１１とよりなる表面凸部１２を基材１の表面１ａに形成する際の条件設定として、各表面凸部１２の頂点１２ａを、加工前の基材１の表面１aに一致させるようにする（図１（ｂ）参照）。この条件設定に従って、図１（ｂ）の二点鎖線部分と基材１の表面１ａおよび両側面１ｃ，１ｄとにより囲まれた部分を削り加工することにより、複数個の表面凸部１２が連なるように基材１の上面に形成される。
次に、第２の工程において、すべての第一表面傾斜面１０及び第二表面傾斜面１１の全面に化粧材２を被着する。
次に、第３の工程において、第一裏面傾斜面１３と第二裏面傾斜面１４とよりなる裏面凸部１５を基材１の裏面１ｂに形成する際の条件設定として、各裏面凸部１５の頂点１５ａを、加工前の基材１の裏面１ｂに一致させるようにする（図２（ｂ）参照）。この条件設定に従って、図２（ｂ）の二点鎖線部分と基材１の裏面１ｂおよび両側面１ｃ，１ｄとにより囲まれた部分を削り加工することにより、複数個の裏面凸部１５が連なるように基材１の裏面１ｂに形成される。その結果、図２（ｃ）に示すように、複数本の幅木３が製造される。
【００１８】
このように各表面凸部１２の頂点１２ａが加工前の基材１の表面１ａに一致するように、かつ各裏面凸部１５の頂点１５ａが加工前の基材１の裏面１ｂに一致するように、基材１の板厚ｔを設定することで、基材１を無駄なく最大限効率的に利用することができる。
【００１９】
次に、当該幅木３の製造方法によって製造された幅木３の構成について説明する。
図３は、製造された一本の幅木３の壁面Ｗ及び床面Ｆのコーナー部への施工例を示すものであるが、これを用いて説明する。
一本の幅木３は、一つの表面凸部１２と、その表面凸部１２の基材１の裏面１ｂ側に位置する一つの裏面凸部１５とにより、互いの底辺（１２ｂ、１５ｂ）同士が一致した状態で構成される。
ここで、表面凸部１２及び裏面凸部１５の形状は略直角三角形であり、表面凸部１２の頂点１２ａ及び裏面凸部１５の頂点１５ａは、略直角部分の頂点に相当する。また、表面凸部１２の底辺１２ｂ及び裏面凸部１５の底辺１５ｂは、この略直角三角形における斜辺に相当する。
また、図３では、これらの底辺（１２ｂ、１５ｂ）を二点鎖線で示しているが、これらはあくまで表面凸部１２と裏面凸部１５との間の仮想の境界線であり、一本の幅木３は、一つの表面凸部１２と一つの裏面凸部１５の両者が一体化して構成されている。
【００２０】
幅木３は、壁面Ｗ及び床面Ｆのコーナー部へ設置された際に露出する面である前面及び上端面と、壁面Ｗに面する裏面と、床面Ｆに面する下端面とを有しており、前面及び上端面には化粧材２が被着されている。この実施形態においては、第一表面傾斜面１０が幅木３の前面に、第二表面傾斜面１１が上端面に、第一裏面傾斜面１３が裏面に、第二裏面傾斜面１４が下端面に対応している。
尚、幅木３の寸法は、特に限定されるものではなく、用途、意匠性、施工性等を考慮して適宜選択されるものであるが、例えば、厚みを５ｍｍ〜１０ｍｍ、幅を３０ｍｍ〜１５０ｍｍとしたものが製造される。また、幅木３の長さは、設置される壁面Ｗの寸法等に応じて選択される。
【００２１】
上述した幅木３の製造方法によれば、簡易な工程を経ることにより、１枚の基材１から多数本の幅木３を製造することができるため、大幅に生産性を向上させることができる。また、同一の工程を経て１枚の基材１から多数本の幅木３が一度に製造されるため、安定した品質の幅木３を生産することができる。
【００２２】
前記幅木３は、図３に示すように、壁面Ｗ及び床面Ｆのコーナー部に施工される。
施工手順としては、まず、幅木３の裏面（第一裏面傾斜面１３）の全面を壁面Ｗに当接させ、かつ、下端面（第二裏面傾斜面１４）の全面を床面Ｆに当接させた状態とする。その状態で、幅木３を壁面Ｗ及び床面Ｆのコーナー部に取り付け固定させる。
幅木３の取り付け固定の方法は、限定されることはないが、例えば、釘やネジ等の固定具（不図示）を用いて取り付けてもよいし、あるいは、接着剤を幅木３と壁面Ｗ及び床面Ｆの間に塗って取り付けても良い。または、固定具と接着剤とを併用してもよい。
尚、壁面Ｗは、例えば、石膏ボードや合板等の下地ボードの表面、あるいはこれらの表面にクロスや壁紙等が貼着された壁仕上げ面等であり、このような壁材の裏面側には、釘やネジ等の固定具が打ち込まれる胴縁等が配設されている。
【００２３】
尚、図１及び図２では、１枚の基材１から６本の幅木３が製造される例を示したが、１枚の基材１から製造される幅木３の本数は限定されるものではなく、１枚の基材１から、７本以上の幅木３が製造される工程としてもよい。
また、図では、第一表面傾斜面１０が第二表面傾斜面１１よりも幅広で緩やかな傾斜面であり、第一裏面傾斜面１３が第二裏面傾斜面１４よりも幅広で緩やかな傾斜面である例を示しているが、両者の面積の大小関係や傾斜の度合いはこれに限定されるものではない。
また、当該実施形態においては、幅木３の前面は第一表面傾斜面１０に、上端面は第二表面傾斜面１１に、裏面は第一裏面傾斜面１３に、下端面は第二裏面傾斜面１４に対応するものとして説明しているが、これらの対応関係はこれに限定されない。
また、図１（ｃ）では、第１の工程の完了時点で、第一表面傾斜面１０及び第二表面傾斜面１１の表面が加工されていない例を示しているが、第２の工程（化粧材２の被着）に進む前に、これらの表面に所定の加工を施しても良い。
例えば、意匠性を向上させるために、第一表面傾斜面１０と第二表面傾斜面１１との境界部分に、傾斜状の面取り部を幅木３の長手方向の全長に亘って形成してもよい。この面取り部は、第一表面傾斜面１０と第二表面傾斜面１１との角部が削られて形成されてもよいが、この部分のみが削り加工されずに、基材１の加工前の表面１ａに残る状態で形成されてもよい。
また、各第一表面傾斜面１０の表面に、断面視略コの字形状の溝を幅木の長手方向の全長に亘って形成してもよい。この場合、断面視略コの字形状の溝の底面部分と壁面Ｗとの間隔が短くなっているため、溝の底面部分の、長手方向の適所に釘やネジ等の固定具を打ち込むことにより幅木３の壁面Ｗへの取り付け固定がしやすくなる。また、この場合、この溝の底面部分に打ち込まれた固定具の頭部が目立たず、見栄えをよくすることができる。
また、第３の工程において第一裏面傾斜面１３と第二裏面傾斜面１４とが形成された際、これらの表面に所定の加工を施しても良い。
【符号の説明】
【００２４】
１        基材
１ａ      表面（基材の）
１ｂ      裏面（基材の）
１０      第一表面傾斜面
１１      第二表面傾斜面
１２      表面凸部
２        化粧材
１３      第一裏面傾斜面
１４      第二裏面傾斜面
１５      裏面凸部
３        幅木
ｔ        板厚（基材の）
１２ａ    頂点（表面凸部の）
１５ａ    頂点（裏面凸部の）
【図１】
0005571628.tif 000002
【図２】
0005571628.tif 000003
【図３】
0005571628.tif 000004